(57)【特許請求の範囲】
【請求項１】
着脱可能な金庫を含む複数の金庫と、現金の搬送を制御する制御手段と、前記着脱可能な金庫に設けられ、当該金庫に対して現金を入出庫させるために電力を消費する電力消費部と、前記着脱可能な金庫の着脱に伴って前記電力消費部と電気的に接続又は切断される電気コネクタを介して前記電力消費部への給電を行う給電手段とを有し、取引に応じて金庫に対する入金又は出金を行う現金処理装置であって、
前記制御手段は、前記複数の金庫のうちの着脱可能な金庫の少なくとも一部が取引時に入金先又は出金元とならない非取引金庫であり、前記複数の金庫のうちの残りが取引時に入金先又は出金元となる取引金庫である場合に、前記取引金庫に対する入金又は出金に必要な搬送制御を行い、前記非取引金庫の抜脱に関連して当該非取引金庫から前記取引金庫に対する現金の補給又は回収に必要な搬送制御を行い得るように構成されつつ、前記着脱可能な金庫が前記非取引金庫であり且つ当該金庫に対して現金が入出庫中でない場合には当該金庫が抜脱可能なタイミングであることを示す金庫情報を生成するとともに、これ以外の場合には当該金庫が抜脱可能なタイミングでないことを示す金庫情報を生成するように構成され、
前記制御手段は更に、前記金庫情報を取得して、前記着脱可能な金庫が抜脱可能なタイミングでないときに前記電力消費部への給電を行うとともに、当該金庫の内部に現金が収容されている状態であっても当該金庫が抜脱可能なタイミングであることを一つの条件として前記電力消費部への給電を停止することを特徴とする現金処理装置。
【発明の詳細な説明】
【技術分野】
【０００１】
本発明は、現金の投入に応じて発券や商品販売等の取引を行う自動発券機等に用いる現金処理装置に係り、特に現金の補給又は回収を行う際の金庫の抜脱を適正化した現金処理装置に関するものである。
【背景技術】
【０００２】
自動発券機や自動販売機等の現金処理装置は、現金を収納する金庫を有し、金庫に対して現金を入金又は出金するものである。このような従来の現金処理装置として特許文献１には、金庫を着脱可能に構成し、現金の補給や回収を可能としたものが開示されている。
【先行技術文献】
【特許文献】
【０００３】
【特許文献１】特開２００６−１８７９８号公報
【発明の概要】
【発明が解決しようとする課題】
【０００４】
ところで、現金の回収または補給を行う際、業務効率の向上を目的として一部の金庫が抜かれても無停止で稼働する無停止補給または無停止回収を行うように構成することが一つの有効な手段として考えられるが、かかる特許文献１を含めて従来の現金処理装置には、無停止で現金の補給又は回収を行える機能を備えたものは見当たらない。
【０００５】
この機能を実現するにあたり、取引時に入金先又は出金元となる取引金庫がいずれか一つでも抜脱されると取引が不能になるので、取引金庫が抜脱されることを回避する必要がある。また、取引金庫であるか否かに拘わらず、現金が入出庫中である金庫を抜脱すると搬送不良等を生じるので、入出庫中の金庫が抜脱されることも避ける必要がある。
【０００６】
本発明は、このような課題に着目してなされたものであって、その目的は、取引金庫が抜脱されて取引不能に陥ることや、現金が入出庫中である金庫が抜脱されてジャム等の障害が発生することを的確に防止し、金庫の抜脱を適正化して、無停止で現金の補給又は回収を行う新たな現金処理装置を提供することである。
【課題を解決するための手段】
【０００７】
本発明は、かかる目的を達成するために、次のような手段を講じたものである。
【０００８】
すなわち、本発明の現金処理装置は、着脱可能な金庫を含む複数の金庫と、現金の搬送を制御する制御手段と、前記着脱可能な金庫に設けられ、当該金庫に対して現金を入出庫させるために電力を消費する電力消費部と、前記着脱可能な金庫の着脱に伴って前記電力消費部と電気的に接続又は切断される電気コネクタを介して前記電力消費部への給電を行う給電手段とを有し、取引に応じて金庫に対する入金又は出金を行う現金処理装置であって、前記制御手段は、前記複数の金庫のうちの着脱可能な金庫の少なくとも一部が取引時に入金先又は出金元とならない非取引金庫であり、前記複数の金庫のうちの残りが取引時に入金先又は出金元となる取引金庫である場合に、前記取引金庫に対する入金又は出金に必要な搬送制御を行い、前記非取引金庫の抜脱に関連して当該非取引金庫から前記取引金庫に対する現金の補給又は回収に必要な搬送制御を行い得るように構成されつつ、前記着脱可能な金庫が前記非取引金庫であり且つ当該金庫に対して現金が入出庫中でない場合には当該金庫が抜脱可能なタイミングであることを示す金庫情報を生成するとともに、これ以外の場合には当該金庫が抜脱可能なタイミングでないことを示す金庫情報を生成するように構成され、前記制御手段は更に、前記金庫情報を取得して、前記着脱可能な金庫が抜脱可能なタイミングでないときに前記電力消費部への給電を行うとともに、当該金庫の内部に現金が収容されている状態であっても当該金庫が抜脱可能なタイミングであることを一つの条件として前記電力消費部への給電を停止するものである。
【０００９】
この構成によれば、着脱可能な金庫の少なくとも一部が取引時に入金先又は出金元とならない非取引金庫であり、複数の金庫のうちの残りが取引時に入金先又は出金元となる取引金庫である場合に、非取引金庫の抜脱に関連して非取引金庫から取引金庫に対する現金の補給又は回収を行うので、抜脱すれば取引不能になる取引金庫を抜脱する必要を無くして無停止で現金の補給又は回収を実現できる。さらに、着脱可能な金庫が前記非取引金庫であり且つ当該金庫に対して現金が入出庫中でない場合には当該金庫が抜脱可能なタイミングであることを示す金庫情報が生成されるとともに、これ以外の場合には当該金庫が抜脱可能なタイミングでないことを示す金庫情報が生成されるので、この金庫情報を用いることにより、取引金庫が抜脱されて取引不能に陥ることや、現金が入出庫中である金庫が抜脱されてジャム等の障害が発生することを的確に防止し、金庫の抜脱を適正化して、無停止で現金の補給又は回収を行う新たな現金処理装置の提供に資することができる。
【００１０】
また、前記着脱可能な金庫に設けられ、当該金庫に対して現金を入出庫させるために電力を消費する電力消費部と、前記着脱可能な金庫の着脱に伴って前記電力消費部と電気的に接続又は切断される電気コネクタを介して前記電力消費部への給電を行う給電手段とを備え、前記制御手段は、前記金庫情報を取得して、前記着脱可能な金庫が抜脱可能なタイミングでないときに前記電力消費部への給電を行うとともに、当該金庫の内部に現金が収容されている状態であっても当該金庫が抜脱可能なタイミングであることを一つの条件として前記電力消費部への給電を停止することから、給電を受ける金庫を適切に抜脱することができる。
【発明の効果】
【００１１】
本発明によると、金庫が抜脱可能であるか否かを示す金庫情報を利用することが可能になり、取引金庫が抜脱されて取引不能に陥ることや、現金が入出庫中である金庫が抜脱されてジャム等の障害が発生することを的確に防止でき、金庫の抜脱を適正化して、無停止で現金の補給又は回収を行う新たな現金処理装置の提供を可能とする。
【図面の簡単な説明】
【００１２】
【図１】本発明の一実施形態に係る現金処理装置の概略的な全体構成図。
【図２】一部の金庫を抜き取った状態を示す図１に対応した図。
【図３】同実施形態の構成および機能の概要を示すブロック図。
【図４】同実施形態における無停止補給時の状態を示す図。
【図５】同実施形態における無停止回収時の状態を示す図。
【図６】金庫解錠操作を受け付ける操作受付部を示す図。
【発明を実施するための形態】
【００１３】
以下、本発明の一実施形態を、図面を参照して説明する。本実施形態では紙幣を取り扱う紙幣ブロックとしての現金処理装置を例に挙げて説明する。
【００１４】
図１に示す本実施形態の現金処理装置は、例えば乗車券やカード、精算切符等の券売を行う券売機として用いられるもので、紙幣ブロック１と、これにセットされて紙幣の収納場所となる４つの金庫Ａ〜Ｄと、投入される紙幣の金種を識別部２２で識別して金庫Ａ〜Ｄのうち対応する金庫に搬送経路２１を介して搬送する搬送手段２とを具備する。
【００１５】
紙幣ブロック１は、利用者に近い側に挿入口１１、出金口１３、返却口１４（以下、出金口１３及び返却口１４を合わせて払出口１２ともいう）を設けたもので、同じく利用者に近い側に固定式の混合金庫Ｄを内設し、係員が操作を行う側に３つのカセット式の金庫Ａ〜Ｃを設けている。また、紙幣ブロック１には、搬送経路２１上の紙幣を一時的に保留する一時保留部Ｅや出金保留部Ｆ、読み取り不能、重送発生、異常検知時の不良券を回収する不良券回収部Ｇ等も設けられている。カセット式の金庫Ａ〜Ｃは、図２に例示するように把手ｈを把持して紙幣ブロック１から引き出すことが可能とされている。これらの金庫Ａ〜Ｃと紙幣ブロック１との間には、必要に応じて電磁力等を利用して金庫Ａ〜Ｃを引き出し禁止状態とする図３のロック機構Ｘ１が設けてあり、また、紙幣ブロック１又は金庫Ａ〜Ｃには、引き出し禁止状態か否かを表示して係員に了知させるＬＥＤ表示部Ｘ２が設けてある。紙幣ブロック１のオペレータが操作を行う側には、図６に示すように、オペレータにより行われる金庫解錠操作を受け付ける操作受付部７が設けてある。操作受付部７は、オペレータが所有する鍵が差し込まれる鍵穴部７１を有し、この鍵穴部７１に鍵が差し込まれた状態で鍵が回動する動作を金庫解錠操作として受け付ける。また、操作受付部７の鍵穴部７１を遮蔽する板状カバーを用いた遮蔽部７２が設けてある。遮蔽部７２は、軸７２ａを中心に回動自在に支持され、鍵穴部７１を遮蔽する遮蔽位置ｓとこの遮蔽位置ｓから退避して鍵穴部７１を表出させる表出位置ｐとの間を変位可能である。さらに、遮蔽部７２の位置を検出する遮蔽部センサ７３が設けられている。
【００１６】
識別部２２は、図３に示すように、紙幣の金種判定を主として行うもので、挿入口１１から投入される紙幣の金種のみ識別する。これに対して、各金庫Ａ〜Ｄに紙幣が補給される場合や、各金庫Ａ〜Ｄから紙幣が回収される場合等には、図１に示す補給回収用の簡易型の識別部２０（以下、簡易識別部と称する）で金種識別を行う。ここに言う簡易型とは、金種識別のみを行い、紙幣の真性（偽造か否か）までは識別しないものを言う。
【００１７】
搬送手段２は、周知の紙幣処理装置と同様に、図示しない挾持ローラ、搬送ベルト、ウィング等の方向変換部などから構成される前記搬送経路２１と、搬送される紙幣の金種を識別する前記識別部２２および簡易識別部２０と、この識別部２２或いは簡易識別部２０の識別結果等に基づいて前記搬送経路２１を制御する制御手段２３（図３参照）とから構成される。そして、挿入口１１から投入された紙幣を識別部２２に通過させた後、搬送経路２１に沿って流通させ、随所に設けた分岐部ａ〜ｇで必要に応じて紙幣を方向変換して、金庫Ａ〜Ｄ、一時保留部Ｅ、出金保留部Ｆ、払出口１２、一次保留部ａ１〜ｃ１、不良券回収部Ｇ等へ搬送する動作を行うとともに、金庫Ａ〜Ｄ等から搬送経路２１上への紙幣の繰り出し動作、簡易識別部２０における金種識別、更には次なる搬送先である払出口１２や金庫Ａ〜Ｄへの搬送動作などを含む統括的な制御を行うように構成されている。
【００１８】
着脱可能なカセット式の金庫Ａ〜Ｃには、図３に示すように、現金を繰り出すローラを駆動するモータや現金の存在を検知するセンサ等の電力消費部６（６ａ、６ｂ、６ｃ）がそれぞれ設けられており、電力消費部６は、給電手段５により給電を受けて作動し、金庫Ａ〜Ｃに対して現金を入出庫させるために電力を消費する。給電手段５は、電源部５２と、金庫Ａ〜Ｃの着脱に伴って電力消費部６と電気的に接続又は切断される電気コネクタ５１（５１ａ、５１ｂ、５１ｃ）とを有しており、この電気コネクタ５１を介して電源部５２から電力消費部６への給電を行う。電源部５２と電気コネクタ５１との間の電力供給路には、スイッチ５３（５３ａ、５３ｂ、５３ｃ）がＦＥＴ等のスイッチング素子により構成されており、スイッチ５３をオンオフすることにより電力消費部６への給電又は給電の停止を切り替え可能にされている。スイッチ５３のオンオフは制御手段２３により制御される。
【００１９】
上記の制御を行うために、制御手段２３は、ＣＰＵ，メモリ及びインターフェースを具備する通常のマイクロコンピュータユニットにより構成されて、メモリ内には所要のプログラムが書き込まれており、ＣＰＵは適宜必要なプログラムを呼び出して実行することにより、周辺ハードリソースと協働して、所期の搬送動作を実現する。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００２０】
さらに、制御手段２３は、金庫設定部２５を通じて係員による金庫設定操作を受け付け、受け付けた金庫設定に基づいて搬送制御を行う。金庫設定操作は、設定対象の金庫が取引時に現金の入金先又は出金元となる取引金庫であるか否かの他、設定対象の金庫が取り扱う金種等、種々の設定を行う操作である。この実施形態では、混合金庫Ｄを第１金種たる５千円と第２金種たる２千円とを混合収納して取引時の入庫先に設定している。また、金庫Ａを第３金種たる千円の循環金庫として取引時の入金先及び出金元に設定し、同様に、金庫Ｂを第４金種たる万円の循環金庫として取引時の入金先及び出金元に設定している。また、金庫Ｃを多用途に利用可能な自在金庫に設定して取引時の入金先又は出金元のいずれにもならない設定にしている。すなわち、混合金庫Ｄ、金庫Ａ及び金庫Ｂを取引時に入金先又は出金元となる取引金庫に設定し、自在金庫Ｃを取引時に入金先又は出金元とならない非取引金庫に設定している。取引金庫は、取引時に現金の入金先又は出金元となる金庫であり、取引はいつ開始するか分からないので、実際の取引時はもちろんのこと、一時でも抜脱されるのが好ましくない金庫である。
【００２１】
さらにまた、制御手段２３は、金庫情報生成部２４を有し、金庫情報生成部２４が、着脱可能な金庫Ａ〜Ｃが抜脱可能なタイミングであるか否かを、非取引金庫であるか否かと現金が入出庫中であるか否かとに基づいて判定し、金庫Ａ〜Ｃが抜脱可能なタイミングであるか否かを示す金庫情報を生成する。金庫情報生成部２４は、具体的に、金庫Ａ〜Ｃについて、非取引金庫に設定されており且つ金庫への現金が入出庫中でないときは抜脱可能とし、それ以外は抜脱不能として金庫情報を生成する。制御手段２３は、この金庫情報を取得して、着脱可能な金庫Ａ〜Ｃが抜脱可能なタイミングでないときに電力消費部６への給電を行うとともに、金庫Ａ〜Ｃの内部に現金が収容されている状態であっても当該金庫Ａ〜Ｃが抜脱可能なタイミングであることを一つの条件として電力消費部６への給電を停止する。
【００２２】
上記の構成の現金処理装置において、制御手段２３は、「通常運用時」「無停止補給時」「無停止回収時」の３つの動作を実行する。
（１）通常運用時
【００２３】
運用時は、抜脱されると取引不能になる取引金庫であるカセット金庫Ａ、Ｂにロック機構Ｘ１によって電磁ロックが掛けられるとともに、ＬＥＤ表示部Ｘ２において抜脱不能である旨のＬＥＤが点灯してカセット金庫Ａ、Ｂの抜脱が禁止される。一方、現金の入出庫が行われておらず且つ非取引金庫であるカセット金庫Ｃには電磁ロックが掛けられずに、ＬＥＤ表示部Ｘ２において抜脱可能である旨のＬＥＤが点灯して抜脱が許容される。この際、金庫Ａ、Ｂは取引金庫に設定されているので金庫情報生成部２４により抜脱不能であることを示す金庫情報が生成され、金庫Ｃは非取引金庫であり且つ現金の入出庫が行われていないので抜脱可能であることを示す金庫情報が生成される。制御手段２３は、この金庫情報を参照して、金庫Ａ、Ｂに対応するスイッチ５３をオンにし、金庫Ａ、Ｂの電力消費部６への給電を行う一方、遮蔽部センサ７３により遮蔽部７２が表出位置ｐにあることが検出されているときに金庫Ｃに対応するスイッチ５３をオフとし、金庫Ｃの電力消費部６への給電を停止状態にする。
（２）無停止補給時
【００２４】
運用中に、例えばつり札の減少により特定金種を補給したい場合には、図４（ａ）、（ｂ）に示すように、補給したい金種用のカセット（千円、万円のいずれか）を自在金庫Ｃにセットする。制御手段２３は自在金庫Ｃ内の現金を繰り出して簡易識別部２０へ送り、この簡易識別部２０で金種を識別して、正しければ出金保留部Ｆへ、エラーであれば不良券回収部Ｇへ搬送しながら継続装填を行う。出金保留部Ｆにおいて所定枚数に達したら、まとめて一括で、千円ならカセット金庫Ａへ、万円ならカセット金庫Ｂへ計数装填する。この補給中はカセット金庫Ｃに電磁ロックを掛けて、金庫Ａ〜Ｃの電磁ロックを維持するとともに、ＬＥＤ表示部Ｘ２において抜脱不能である旨のＬＥＤが点灯してカセット金庫Ａ〜Ｃの抜脱が禁止される。この際、金庫Ｃは非取引金庫であり且つ現金の入出庫が行われているので金庫情報生成部２４により抜脱不能であることを示す金庫情報が生成され、金庫Ａ、Ｂについては上記（１）と同様に抜脱不能であることを示す金庫情報が生成される。そして、制御手段２３は、この金庫情報を参照して、金庫Ａ〜Ｃに対応するスイッチ５３をオン状態にし、金庫Ａ、Ｂの電力消費部６への給電を行う。
【００２５】
金庫Ａ又はＢに対する補給が完了すると、金庫Ｃに対する現金の入出庫が終わるので金庫情報生成部２４により抜脱可能であることを示す金庫情報が生成される。また、蔽部センサ７３により遮蔽部７２が表出位置ｐにあることが検出されているときに制御手段２３により遮金庫Ｃに対応するスイッチ５３がオフされ、金庫Ｃの電力消費部６への給電が停止される。加えて、金庫Ｃの電磁ロックが解除および抜脱可能のＬＥＤ表示がなされ、係員は自在金庫Ｃを安全且つ適切に抜き取ることができる。
（３）無停止回収時
【００２６】
運用中に、余剰紙幣の回収を行いたい場合には、図５に示すように、回収したい金種用のカセット（千円、万円のいずれか）を自在金庫Ｃにセットする。制御手段２３は、セットされたカセットが千円なら同図（ａ）に示すようにカセット金庫Ａから、万円なら同図（ｂ）に示すようにカセット金庫Ｂから千円または万円をそれぞれ簡易識別部２０および出金保留部Ｆを介して計数回収する。また、回収したい金種が２千／５千の場合には、同図（ｃ）に示すように万円用のカセットを自在金庫Ｃにセットし、（ｂ）の場合と識別できるように回収したい金種が２千／５千である旨の適宜の設定を通じて、搬送制御手段２に固定金庫Ｄから２千／５千を簡易識別部２０および出金保留部Ｆを介して計数回収させる。２千円／５千円の回収を実施する場合は、全回収のみを可能とする。
【００２７】
この回収中は上記（２）と同様にカセット金庫Ｃに電磁ロックを掛けて、金庫Ａ〜Ｃの電磁ロックを維持して抜脱を禁止するとともに、ＬＥＤ表示部Ｘ２で抜脱不能である旨の表示を行い、上記（２）と同様に金庫Ａ〜Ｃが抜脱不能であることを示す金庫情報が生成される。制御手段２３は、この金庫情報を参照して、金庫Ａ〜Ｃに対応するスイッチ５３をオン状態にし、金庫Ａ、Ｂの電力消費部６への給電を行う。
【００２８】
現金の回収が完了すると、金庫Ｃに対する現金の入出庫が終わるので上記（２）と同様に制御手段２３により金庫Ｃに対応するスイッチ５３がオフされ、金庫Ｃの電力消費部６への給電が停止され、係員は自在金庫Ｃを安全且つ適切に抜き取ることができる。
【００２９】
以上に説明したように、本実施形態では、着脱可能な金庫Ａ〜Ｃの少なくとも一部の金庫Ｃが取引時に入金先又は出金元とならない非取引金庫であり、複数の金庫Ａ〜Ｄのうちの残りの金庫Ａ、Ｂが取引時に入金先又は出金元となる取引金庫である場合に、非取引金庫である金庫Ｃの抜脱に関連して非取引金庫である金庫Ｃから取引金庫である金庫Ａ、Ｂに対する現金の補給又は回収を行うので、抜脱すれば取引不能になる取引金庫である金庫Ａ、Ｂを抜脱する必要を無くして無停止で現金の補給又は回収を実現できる。さらに、着脱可能な金庫Ａ〜Ｃが抜脱可能なタイミングであるか否かを示す金庫情報が、金庫が非取引金庫であるか否かと金庫に対して現金が入出庫中であるか否かとに基づいて生成されるので、この金庫情報を用いることにより、取引金庫が抜脱されて取引不能に陥ることや、現金が入出庫中である金庫が抜脱されてジャム等の障害が発生することを的確に防止し、金庫の抜脱を適正化して、無停止で現金の補給又は回収を行う新たな現金処理装置の提供に資することが可能となる。
【００３０】
特に、本実施形態では、着脱可能な金庫Ａ〜Ｃに設けられ電力を消費する電力消費部６（６ａ、６ｂ、６ｃ）と、着脱可能な金庫Ａ〜Ｃの着脱に伴って電力消費部６と電気的に接続又は切断される電気コネクタ５１（５１ａ、５１ｂ、５１ｃ）を介して電力消費部６への給電を行う給電手段５とを備え、制御手段２３は、金庫情報を取得して着脱可能な金庫Ａ〜Ｃが抜脱可能なタイミングであることを一つの条件として電力消費部６への給電を停止するので、給電中に電力消費部６と電気コネクタ５１とが切断されて電圧変動や信号の乱れが生じることがなく、給電を受ける金庫Ａ〜Ｃを適切に抜脱することができる。特に電気コネクタ５１が活線挿抜に対応していない場合に有効である。
【００３１】
以上、本発明の一実施形態について説明したが、各部の具体的な構成は、上述した実施形態のみに限定されるものではない。
【００３２】
例えば、本実施形態では、金庫Ａ〜Ｃに対して入金および出金の双方を行う現金処理装置であるが、金庫への入金および金庫からの出金のいずれかのみを行う装置であっても本発明を適用することが可能である。さらに、金庫Ａ〜Ｄに対して各金種を割り当てて金庫Ａ〜Ｄを四金種循環金庫としてもよい。さらにまた、遮蔽部７２が表出位置ｐにあることと金庫情報で金庫が抜脱可能なタイミングであることの二つの条件で給電手段５による給電を停止しているが、金庫情報で金庫が抜脱可能なタイミングであることを一つの条件としていれば、遮蔽部７２を設けなくてもよく、条件を削除又は追加することも可能である。その他の構成も、本発明の趣旨を逸脱しない範囲で種々変形が可能である。
【符号の説明】
【００３３】
１…紙幣ブロック、５…給電手段、６…電力消費部、２３…制御手段、２４…制御手段（金庫情報生成部）、５１…電気コネクタ、Ａ〜Ｂ…着脱可能な金庫（取引金庫）、Ｃ…着脱可能な金庫（非取引金庫）、Ｄ…金庫（取引金庫）
【図１】
0005549200.tif 000002
【図２】
0005549200.tif 000003
【図３】
0005549200.tif 000004
【図４】
0005549200.tif 000005
【図５】
0005549200.tif 000006
【図６】
0005549200.tif 000007